(57)【要約】      （修正有）【課題】犯人等を傷つけることなく、且つ、犯人等の抵抗する気力を失わせることができる、防犯用非殺傷性弾を提供する。【解決手段】薬莢２と、薬莢２の後端部２ｅｂに設けられたプライマー３と、薬莢２内の途中の位置に設けられたワッド４と、プライマー３の前方位置に設けられた火薬５と、薬莢２内の、薬莢２の先端部２ｅａとワッド４との間に設けられた、殺傷性の無い材料６とを備える。【選択図】図１
2009002620.tif 000002
【特許請求の範囲】
【請求項１】
薬莢と、
前記薬莢の後端部に設けられたプライマーと、
前記薬莢内の途中の位置に設けられたワッドと、
前記薬莢内の、前記薬莢内の途中の位置に設けられたワッドと、前記薬莢の後端部に設けられた、前記プライマーの前方位置に設けられた火薬と、
前記薬莢内の、薬莢の先端部と、前記ワッドとの間に設けられた、殺傷性の無い材料とを備える、防犯用非殺傷性弾。
【請求項２】
前記殺傷性の無い材料が、塗料、刺激剤及び催涙剤の群からなる少なくとも一種を含むことを特徴とする、請求項１に記載の防犯用非殺傷性弾。
【請求項３】
前記殺傷性の無い材料が、液状、固形状又はゲル状である、請求項１又は請求項２に記載の防犯用非殺傷性弾。
【請求項４】
前記薬莢の先端を、蓋体で密閉した、請求項１又は請求項２に記載の防犯用非殺傷性弾。
【請求項５】
前記殺傷性の無い材料が、塗料と、刺激剤及び催涙剤の群からなる少なくとも一種とを含み、且つ、
前記塗料が、中空を有する材料に充填され、
前記刺激剤及び催涙剤の群からなる少なくとも一種が、前記薬莢内の、薬莢の先端部と、前記ワッドとの間に設けられ、
前記塗料を中空内に有する材料が、前記薬莢の先端にキャップ体として設けられている、請求項１に記載の防犯用非殺傷性弾。
【請求項６】
前記殺傷性の無い材料が、塗料と、刺激剤及び催涙剤の群からなる少なくとも一種とを含み、且つ、
前記塗料と、前記刺激剤及び前記催涙剤の群からなる少なくとも一種とが、前記薬莢内の、薬莢の先端部と、前記ワッドとの間に、仕切り部材を介して設けられている、請求項１に記載の防犯用非殺傷性弾。
【請求項７】
前記殺傷性の無い材料が、塗料と、刺激剤と、催涙剤とを含み、且つ、
前記塗料、前記刺激剤及び前記催涙剤の各々が、前記薬莢内の、薬莢の先端部と、前記ワッドとの間に、仕切り部材を介して設けられている、請求項１に記載の防犯用非殺傷性弾。
【請求項８】
前記薬莢の先端の近傍位置に、前記ワッドを薬莢内に停止させるために、前記薬莢の中心線方向に突出するように設けられた突起を有する、請求項１〜７のいずれかに記載の防犯用非殺傷性弾。
【請求項９】
前記薬莢の先端部分の内径が、前記ワッドの外径よりやや短い、請求項１〜７のいずれかに記載の防犯用非殺傷性弾。
【発明の詳細な説明】
【技術分野】
【０００１】
本発明は、防犯用非殺傷性弾に関し、特に、犯人等を殺傷することなく、犯人等の抵抗する気力を失わせることができる、防犯用非殺傷性弾に関する。
【背景技術】
【０００２】
従来、例えば、銀行その他の金融機関、郵便局、警備会社、警察等には、特殊塗料入りボールが配備されている。
【０００３】
この特殊塗料入りボールとしては、例えば、塩化ビニール等の合成樹脂で製された中空を有する容器内に、蛍光塗料その他の特殊塗料を封入したものがある。
【０００４】
この特殊塗料入りボールは、例えば、銀行強盗等が発生した際に、行員等が、逃走を図る犯人等に向かって、特殊塗料入りボールを投げつけ、特殊塗料入りボール内部の特殊塗料を犯人等に付着させるものである。
【０００５】
また、このような特殊塗料入りボール（弾）を拳銃タイプの弾丸発射具から発射できるようにしたものも提案されている。
【０００６】
また、警察官等は、凶悪犯に対して、逮捕等のために、拳銃を使用することもある。
【特許文献１】特公昭３５−１４０５号公報
【特許文献２】特開２００１−２８８０７５号公報
【特許文献３】実登録第３０６１７９９号公報
【特許文献４】特開２００５−６１６６０号号公報
【特許文献６】特開２００６−１２５８１６号公報
【発明の開示】
【発明が解決しようとする課題】
【０００７】
しかしながら、特殊塗料入りボールは、防犯上の予防効果はあるものの、いざ、犯行が起こってしまった場合に、行員等が、至近距離から犯人に対し、従特殊塗料入りボールを投げることは、心理上なかなか困難なことであり、また、犯人に、特殊塗料入りボールを命中させるのも難しい、という問題がある。
【０００８】
また、従来の、特殊塗料入りボールを拳銃タイプの弾丸発射具から発射できるようにしたものは、いずれも、バネや圧縮空気を利用して、弾丸発射具から特殊塗料入りボール（弾）を発射するようにしているものであるので、弾丸発射具から発射された特殊塗料入りボールが  犯人等に、命中しても、犯人等の抵抗する気力を失わせるまでには至らず、犯人等の逃走を許してしまう、といったような問題がある。
【０００９】
また、犯人等に対して、逮捕等のために、拳銃を使用することは、犯人等を殺傷してしまう場合もあり、警察官等にとっても、凶悪犯等に対して、逮捕等のために、拳銃を使用するのが難しい、という問題がある。
【００１０】
本発明は、以上の問題を解決するためになされたものであって、犯人等を傷つけることなく、且つ、犯人等の抵抗する気力を失わせることができる、防犯用非殺傷性弾を提供することを目的としている。
【課題を解決するための手段】
【００１１】
請求項１に記載の防犯用非殺傷性弾は、薬莢と、薬莢の後端部に設けられたプライマーと、
薬莢内の途中の位置に設けられたワッドと、薬莢内の、薬莢内の途中の位置に設けられたワッドと、薬莢の後端部に設けられた、プライマーの前方位置に設けられた火薬と、薬莢内の、薬莢の先端部と、ワッドとの間に設けられた、殺傷性の無い材料とを備える。
【００１２】
請求項２に記載の防犯用非殺傷性弾は、請求項１に記載の防犯用非殺傷性弾の、殺傷性の無い材料が、塗料、刺激剤及び催涙剤の群からなる少なくとも一種を含むことを特徴とする。
【００１３】
塗料としては、油性であっても水溶性のものであってもよい。また、塗料は、有機系樹脂を主成分とする有機系塗料であっても、例えば、シリコーン化合物を主成分とする無機質系塗料であってもよい。
【００１４】
また、塗料としては、特に以下の場合に限定されることは無いが、蛍光塗料であっても、赤色の塗料であってもよい。
【００１５】
また、刺激剤としては、種々の材料を用いることができ、特に以下の場合に限定されることは無いが、例えば、胡椒の粉末等の安全性に優れたものを用いるのが好ましい。
【００１６】
また、催涙剤としては、種々の材料を用いることができ、特に以下の場合に限定されることは無いが、例えば、唐辛子の粉末、カプサイシンの粉末、２−クロロベンジリデンマロノニトリル（ＣＳ）、２−ジベンゾ−１，４−オキサゼピン（ＣＲ）及び３−クロロアセトフェノン（ＣＮ）の群から選択される少なくとも一種を用いる。
【００１７】
請求項３に記載の防犯用非殺傷性弾は、請求項１又は請求項２に記載の防犯用非殺傷性弾の、殺傷性の無い材料が、液状、固形状又はゲル状である。
【００１８】
殺傷性の無い材料が、液状の場合は、火薬を湿らせないために、ワッドの前方部分を円柱形状の筒体とし、筒体の中空部内に、液状の殺傷性の無い材料を充填し、液状の殺傷性の無い材料を充填した筒体の先端の開口部を、弾性体膜、防水処理をした紙、防水処理をした布等で、水密に蓋をするのが好ましい。
【００１９】
また、殺傷性の無い材料をゲル状にするために、液状の殺傷性の無い材料に水溶性ポリマー（例えば、天然由来のデンプン、ゼラチン、半合成のカルボキシメチルセルロース（ＣＭＣ）、メチルセルロース（ＭＣ）等のセルロース誘導体から、ポリビニルアルコール（ＰＶＡ）、ポリアクリル酸系ポリマー、ポリアクリルアミド（ＰＡＭ）、ポリエチレンオキシド（ＰＥＯ）等の合成系の水溶性高分子等）を添加する。
【００２０】
請求項４に記載の防犯用非殺傷性弾は、請求項１又は請求項２に記載の防犯用非殺傷性弾の、薬莢の先端を、蓋体で密閉した。
【００２１】
蓋体としては、特に以下の場合に限定されることはないが、弾性体膜、紙、布（織布であっても、不織布であってもよい。）、合成樹脂シート等の膜体を挙げることができる。
【００２２】
請求項５に記載の防犯用非殺傷性弾は、請求項１に記載の防犯用非殺傷性弾の、殺傷性の無い材料が、塗料と、刺激剤及び催涙剤の群からなる少なくとも一種とを含み、且つ、塗料が、中空を有する材料に充填され、刺激剤及び催涙剤の群からなる少なくとも一種が、薬莢内の、薬莢の先端部と、ワッドとの間に設けられ、塗料を中空内に有する材料が、薬莢の先端部にキャップ体として設けられている。
【００２３】
中空を有する材料は、特に以下の場合に限定される事は無いが、例えば、合成樹脂（ゴムのようなエラストマーのもの）を挙げることができる。
【００２４】
請求項６に記載の防犯用非殺傷性弾は、請求項１に記載の防犯用非殺傷性弾の、殺傷性の無い材料が、塗料と、刺激剤及び催涙剤の群からなる少なくとも一種とを含み、且つ、塗料と、刺激剤及び催涙剤の群からなる少なくとも一種とが、薬莢内の、薬莢の先端部と、ワッドとの間に、仕切り部材を介して設けられている。
【００２５】
仕切り部材としては、特に以下の場合に限定されることはないが、弾性体膜、紙、布（織布であっても、不織布であってもよい。）、合成樹脂シート等の膜体を挙げることができる。
【００２６】
請求項７に記載の防犯用非殺傷性弾は、請求項１に記載の防犯用非殺傷性弾の、殺傷性の無い材料が、塗料と、刺激剤と、催涙剤とを含み、且つ、塗料、刺激剤及び催涙剤の各々が、薬莢内の、薬莢の先端部と、ワッドとの間に、仕切り部材を介して設けられている。
【００２７】
仕切り部材としては、特に以下の場合に限定されることはないが、弾性体膜、紙、布（織布であっても、不織布であってもよい。）、合成樹脂シート等の膜体を挙げることができる。
【００２８】
請求項８に記載の防犯用非殺傷性弾は、請求項１〜７のいずれかに記載の防犯用非殺傷性弾の、薬莢の先端の近傍位置に、ワッドを薬莢内に停止させるために、薬莢の中心線方向に突出するように設けられた突起を有する。
【００２９】
請求項９に記載の防犯用非殺傷性弾は、請求項１〜７のいずれかに記載の防犯用非殺傷性弾の、薬莢の先端部の内径が、前記ワッドの外径よりやや短い。
【発明の効果】
【００３０】
請求項１に記載の防犯用非殺傷性弾は、拳銃等の発射装置から発射できるので、逃走を図る犯人等に対する、命中精度に優れている。
【００３１】
また、この防犯用非殺傷性弾は、火薬を用いているので、拳銃等の発射装置から発射する際に、実弾を発射する際の発射音と同じ発射音を発生するので、防犯用非殺傷性弾が命中した犯人等は、実弾が命中したような感覚になり、抵抗する気力を失わされる。
【００３２】
また、この防犯用非殺傷性弾は、拳銃等の発射装置から発射されるものが、殺傷性の無い材料であるので、命中しても、犯人等を傷つけない。
【００３３】
請求項２に記載の防犯用非殺傷性弾は、殺傷性の無い材料が、塗料、刺激剤及び催涙剤の群からなる少なくとも一種を含むので、例えば、殺傷性の無い材料が、塗料の場合にあっては、逃走を図る犯人等に防犯用非殺傷性弾が命中した場合、犯人等には、塗料が付着するので、その後の犯人等の捜査が容易に行える。
【００３４】
また、例えば、殺傷性の無い材料が、刺激剤の場合にあっては、逃走を図る犯人等に防犯用非殺傷性弾が命中した場合、犯人等は、刺激剤により、くしゃみや、涙が出たりするので、犯人等の抵抗する気力が衰え、その後の犯人等の逮捕を容易に行える。
【００３５】
また、例えば、殺傷性の無い材料が、催涙剤の場合にあっては、逃走を図る犯人等に防犯用非殺傷性弾が命中した場合、犯人等は、催涙剤により、涙が出る結果、犯人等の抵抗する気力が衰えるので、その後の犯人等の逮捕を容易に行える。
【００３６】
請求項３に記載の防犯用非殺傷性弾は、殺傷性の無い材料が、液状、固形状又はゲル状であるので、例えば、殺傷性の無い材料が、液状の場合にあっては、逃走を図る犯人等に防犯用非殺傷性弾が命中した場合、犯人等に傷を与えることなく、且つ、衣服等に塗料が付着するので、その後の犯人等の捜査が容易に行える。
【００３７】
また、例えば、殺傷性の無い材料が、固形状の場合にあっては、火薬が湿ることがなく、拳銃等の発射装置から発射された際に、火薬の爆発力により、粉末状になる結果、逃走を図る犯人等に防犯用非殺傷性弾が命中した場合、犯人等に傷を与えることなく、且つ、犯人の目や喉に刺激を与える結果、犯人等の抵抗する気力が衰えるので、その後の犯人等の逮捕を容易に行える。
【００３８】
また、例えば、殺傷性の無い材料が、ゲル状の場合にあっては、殺傷性の無い材料が、液状である場合に比べ、火薬が湿ることがなく、逃走を図る犯人等に防犯用非殺傷性弾が命中した場合、犯人等に傷を与えることなく、且つ、衣服等には、塗料が付着するので、その後の犯人等の捜査が容易に行える。
【００３９】
請求項４に記載の防犯用非殺傷性弾では、薬莢の先端を、蓋体で密閉しているので、保存中に、殺傷性の無い材料が、薬莢の外に漏れ出すことがない。また、この膜体は、殺傷性の無い材料が、拳銃等の発射装置から発射された際に、火薬の爆発力により、粉々になる結果、逃走を図る犯人等に防犯用非殺傷性弾が命中した場合、犯人等に傷を与えることがない。
【００４０】
請求項５に記載の防犯用非殺傷性弾では、塗料を中空内に有する材料を、薬莢の先端にキャップ体として設けたので、保存中に、殺傷性の無い材料が、薬莢の外に漏れ出すことがない。また、この塗料を中空内に有する材料は、殺傷性の無い材料が、拳銃等の発射装置から発射された際に、火薬の爆発力により、粉々になるか、又は、目標物（犯人等）に命中すると壊れる結果、逃走を図る犯人等に防犯用非殺傷性弾の命中した場合、犯人等に傷を与えることがない。
【００４１】
請求項６に記載の防犯用非殺傷性弾では、塗料と、刺激剤及び催涙剤の群からなる少なくとも一種とを仕切り部材を介して設けているので、この防犯用非殺傷性弾は、長期保存することができる。
【００４２】
請求項７に記載の防犯用非殺傷性弾は、塗料、刺激剤及び催涙剤の各々が、仕切り部材を介して設けられているので、この防犯用非殺傷性弾は、長期保存することができる。
【００４３】
請求項８に記載の防犯用非殺傷性弾は、薬莢の先端の近傍位置に、薬莢の中心線方向に突出するように設けられた突起を有しているので、ワッドが薬莢内に停止する結果、この防犯用非殺傷性弾は、拳銃等の発射装置から発射され、逃走を図る犯人等に防犯用非殺傷性弾が命中した際に、ワッド又はこれが壊れたものが、犯人等には当たらないので、犯人等に傷を与えることがない。
【００４４】
請求項９に記載の防犯用非殺傷性弾は、薬莢の先端部の内径が、前記ワッドの外径よりやや短くされているので、拳銃等の発射装置を用いて、この防犯用非殺傷性弾を発射した際に、ワッドが薬莢内に停止する結果、この防犯用非殺傷性弾は、拳銃等の発射装置から発射され、逃走を図る犯人等に防犯用非殺傷性弾が命中した際に、ワッド又はこれが壊れたものは、犯人等には当たらないので、犯人等に傷を与えることがない。
【発明を実施するための最良の形態】
【００４５】
以下、本発明に係る防犯用非殺傷性弾について、図面を参照しながら更に詳しく説明する。
（実施例１）
図１は、本発明に係る防犯用非殺傷性弾の一例を模式的に説明する断面図である。
【００４６】
この防犯用非殺傷性弾１は、薬莢（ケース体）２と、薬莢（ケース体）２の後端部２ｅｂに設けられたプライマー３と、薬莢（ケース体）２内の途中の位置に設けられたワッド４と、薬莢（ケース体）２内の、薬莢（ケース体）２内の途中の位置に設けられたワッド４と、薬莢（ケース体）２の後端部２ｅｂに設けられた、プライマー３の前方位置に設けられた火薬５と、薬莢（ケース体）２内の、薬莢（ケース体）２の先端部２ｅａと、ワッド４との間に設けられた、殺傷性の無い材料６とを備える。
【００４７】
プライマー３は、柔らかい金属部分３ａと、柔らかい金属部分３ａの前方位置に設けられた火薬３ｂとを備える。
【００４８】
また、図１中、符号ｈ２で示す部分は、フラッシュホールを示している。
【００４９】
ワッド４は、その前方部分（ワッド４を薬莢（ケース体）２内に収容した際に、薬莢（ケース体）２の先端部２ｅａとなる側）に、円筒形状の筒体部４ａを有しており、筒体部４ａの中空部ｈ４内に、殺傷性の無い材料６が充填されている。
【００５０】
殺傷性の無い材料６は、塗料、刺激剤及び催涙剤の群からなる少なくとも一種を含む。
【００５１】
即ち、殺傷性の無い材料６は、塗料、刺激剤又は催涙剤であってもよく、塗料と、刺激剤とを含んでいてもよく、刺激剤と、催涙剤とを含んでいてもよく、催涙剤と、塗料とを含んでいてもよく、また、塗料と、刺激剤と、催涙剤とを含んでいてもよい。
【００５２】
この例では、殺傷性の無い材料６として、固形状、ゲル状または液状のものを使用している。
【００５３】
塗料は、油性であっても水溶性のものであってもよい。
【００５４】
また、塗料は、有機系樹脂を主成分とする有機系塗料であっても、例えば、シリコーン化合物を主成分とする無機質系塗料であってもよい。
【００５５】
また、塗料としては、特に以下の場合に限定されることは無いが、蛍光塗料であっても、赤色の塗料であってもよい（以下に説明する実施例２〜５においても同様である。）。
【００５６】
また、刺激剤としては、種々の材料を用いることができ、特に以下の場合に限定されることは無いが、例えば、胡椒の粉末等の安全性に優れたものを用いるのが好ましい（以下に説明する実施例２〜５においても同様である。）。
【００５７】
また、催涙剤としては、種々の材料を用いることができ、特に以下の場合に限定されることは無いが、例えば、唐辛子の粉末、カプサイシンの粉末、２−クロロベンジリデンマロノニトリル（ＣＳ）、２−ジベンゾ−１，４−オキサゼピン（ＣＲ）及び３−クロロアセトフェノン（ＣＮ）の群から選択される少なくとも一種を用いる（以下に説明する実施例２〜５においても同様である。）。
【００５８】
固形状の殺傷性の無い材料６は、顔料、塗膜主成分（樹脂など）、塗膜補助成分、刺激剤又は催涙剤及び非塗膜成分（例えば、溶剤（例えば、シンナー））を混合する際に、顔料、塗膜主成分（樹脂など）、塗膜補助成分、及び、刺激剤又は催涙剤に対する、非塗膜成分（例えば、溶剤（例えば、シンナー））の量により調製する。
【００５９】
また、ゲル状の殺傷性の無い材料６は、例えば、水溶性の塗料の場合を例にとって説明すると、顔料、塗膜主成分（樹脂など）、塗膜補助成分、刺激剤又は催涙剤及び非塗膜成分（例えば、溶剤（例えば、シンナー））を混合する際に、顔料、塗膜主成分（樹脂など）、塗膜補助成分、及び、刺激剤又は催涙剤に対する、非塗膜成分（例えば、溶剤（例えば、水））に、ゲル化剤（吸水性高分子）を適宜添加等することにより調製する。
【００６０】
尚、殺傷性の無い材料６をゲル状にするために、液状の殺傷性の無い材料６に水溶性ポリマー（例えば、天然由来のデンプン、ゼラチン、半合成のカルボキシメチルセルロース（ＣＭＣ）、メチルセルロース（ＭＣ）等のセルロース誘導体から、ポリビニルアルコール（ＰＶＡ）、ポリアクリル酸系ポリマー、ポリアクリルアミド（ＰＡＭ）、ポリエチレンオキシド（ＰＥＯ）等の合成系の水溶性高分子等）を添加する。
【００６１】
また、液状の殺傷性の無い材料６は、例えば、水溶性の塗料の場合を例にとって説明すると、顔料、塗膜主成分（樹脂など）、塗膜補助成分、刺激剤又は催涙剤及び非塗膜成分（例えば、溶剤（例えば、水））を混合する際に、顔料、塗膜主成分（樹脂など）、塗膜補助成分、刺激剤又は催涙剤に対する、非塗膜成分（例えば、溶剤（例えば、水））の量により調製する。
【００６２】
尚、図１中、符号７で示す部材は、蓋体を示している。
【００６３】
蓋体７は、ワッド４の前方部分（ワッド４を薬莢（ケース体）２内に収容した際に、薬莢（ケース体）２の先端部２ｅａとなる側）の円筒形状の筒体部４ａ内に収容した殺傷性の無い材料６が、筒体部４ａから漏れ出すのを防止するために設けられている。
【００６４】
蓋体７としては、特に以下の場合に限定されることはないが、弾性体膜、紙、布（織布であっても、不織布であってもよい。）、合成樹脂シート等の膜体を挙げることができる。
【００６５】
蓋体７は、防犯用非殺傷性弾１の保存時及び／又は運搬時に、ワッド４の前方部分（ワッド４を薬莢（ケース体）２内に収容した際に、薬莢（ケース体）２の先端部２ｅａとなる側）の円筒形状の筒体部４ａ内に収容した殺傷性の無い材料６が、筒体部４ａから漏れ出すのを防止することができる機械的強度を有し、且つ、拳銃等の発射装置（図示せず。）から防犯用非殺傷性弾１を発射した際に、火薬５が爆発し、ワッド４の前方部分（ワッド４を薬莢（ケース体）２内に収容した際に、薬莢（ケース体）２の先端部２ｅａとなる側）の円筒形状の筒体部４ａ内に収容した殺傷性の無い材料６が薬莢（ケース体）から飛び出す際に、破壊される機械的強度を有していればよい。
【００６６】
蓋体７は、ワッド４の前方部分（ワッド４を薬莢（ケース体）２内に収容した際に、薬莢（ケース体）２の先端部２ｅａとなる側）の円筒形状の筒体部４ａの開口部に、接着剤や、紐体等によって、取り付けられていてもよく、また、蓋体７に嵌合突起又は嵌合凹部を形成し、蓋体７とワッド４の前方部分（ワッド４を薬莢（ケース体）２内に収容した際に、薬莢（ケース体）２の先端部２ｅａとなる側）の円筒形状の筒体部４ａの開口部とを嵌合機構を用いて、蓋体７を、ワッド４の前方部分（ワッド４を薬莢（ケース体）２内に収容した際に、薬莢（ケース体）２の先端部２ｅａとなる側）の円筒形状の筒体部４ａの開口部に取り付けるようにしてもよい。
【００６７】
また、図１中、符号８で示す部材は、蓋体を示している。
【００６８】
この防犯用非殺傷性弾１は、薬莢（ケース体）２の先端を、蓋体８で密閉している。
【００６９】
蓋体８としては、特に以下の場合に限定されることはないが、弾性体膜、紙、布（織布であっても、不織布であってもよい。）、合成樹脂シート等の膜体を挙げることができる。
【００７０】
蓋体８は、防犯用非殺傷性弾１の保存時及び／又は運搬時に、ワッド４の前方部分（ワッド４を薬莢（ケース体）２内に収容した際に、薬莢（ケース体）２の先端部２ｅａとなる側）の円筒形状の筒体部４ａ内に収容した殺傷性の無い材料６や火薬５が、薬莢（ケース体）２から漏れ出すのを防止することができる機械的強度を有し、且つ、拳銃等の発射装置（図示せず。）から防犯用非殺傷性弾１を発射した際に、火薬５が爆発し、ワッド４の前方部分（ワッド４を薬莢（ケース体）２内に収容した際に、薬莢（ケース体）２の先端部２ｅａとなる側）の円筒形状の筒体部４ａ内に収容した殺傷性の無い材料６が薬莢（ケース体）飛び出す際に、破壊される機械的強度を有していればよい。
【００７１】
蓋体８は、薬莢（ケース体）２ａの先端部２ｅａの開口部に、接着剤や、紐体等によって、取り付けられていてもよく、また、蓋体８に嵌合突起又は嵌合凹部を形成し、蓋体８と薬莢（ケース体）２の先端部２ｅａの開口部とを嵌合機構を用いて、蓋体８を、薬莢（ケース体）２の先端部２ｅａの開口部に取り付けるようにしてもよい。
【００７２】
また、図１中、９で示す部材は、突起を示している。
【００７３】
突起９・・・の各々は、薬莢（ケース体）２の先端の近傍位置に、薬莢（ケース体）２の中心線方向に突出するように設けられている。
【００７４】
薬莢（ケース体）２の中心線方向に突出するように設けられた突起９・・・の中、対向配置される一対の突起９、９の各々の先端部と先端部との距離は、ワッド４の外径よりも短くなるようにされている。
【００７５】
次に、この防犯用非殺傷性弾１の製造方法を例示的に説明する。
【００７６】
尚、下記に説明する、防犯用非殺傷性弾１の製造方法は、例示であって、本発明に係る防犯用非殺傷性弾の製造方法は、下記に説明する、防犯用非殺傷性弾１の製造方法に限定されることはない。
【００７７】
まず、薬莢（ケース体）２の後端部２ｅｂにプライマー３を取り付けた薬莢（ケース体）２を準備する（ステップ１）。
【００７８】
次に、薬莢（ケース体）２の先端部２ｅａの開口部から火薬５を薬莢（ケース体）２内に収容する（ステップ２）。
【００７９】
次に、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６を収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉した、ワッド４を、薬莢（ケース体）２の先端部２ｅａの開口部から火薬５を薬莢（ケース体）２内に収容する（ステップ３）。
【００８０】
次に、ポンチ（図示せず。）等を用い、薬莢（ケース体）２の先端の近傍位置に、薬莢（ケース体）２の中心線方向に突出するように、突起９・・・を形成する（ステップ４）。
【００８１】
次に、薬莢（ケース体）２の先端を、蓋体８で密閉することで、防犯用非殺傷性弾１を製造する（ステップ５）。
【００８２】
次に、この防犯用非殺傷性弾１の使用方法について例示的に説明する。
【００８３】
この防犯用非殺傷性弾１は、拳銃等の発射装置（図示せず。）の弾倉（マガジンまたはシリンダー）（図示せず。）に充填し、拳銃等の発射装置（図示せず。）の引き金（トリガー）を引くことのより発射するものである。
【００８４】
即ち、引き金（トリガー）を引くことで、拳銃等の発射装置（図示せず。）のハンマー（図示せず。）が動作し、ハンマー（図示せず。）の先端部分のファイアリングピン（図示せず。）が防犯用非殺傷性弾１の後方から前方に移動し、プライマー３に当たり、プライマー３内の少量の火薬３ｂが爆発し、プライマー３内の少量の火薬３ｂが爆発することで生じた小規模の発射ガスが、フラッシュホールｈ２をする抜け、前方の火薬５に引火し、爆発が生じる。火薬５が爆発すると、ワッド４が、火薬４が爆発により、防犯用非殺傷性弾１の前方向に打ち出され、ワッド４の前方部分４ｆの円筒形状の筒体部４ａ内に収容した殺傷性の無い材料６が、拳銃等の発射装置（図示せず。）が対象物（例えば、逃走中の犯人等）の目標物に向かって撃ち出される。
【００８５】
ワッド４は、薬莢（ケース体）２の中心線方向に突出するように設けられている突起９・・・により、薬莢（ケース体）２内で停止する。
【００８６】
この防犯用非殺傷性弾１は、拳銃等の発射装置（図示せず。）から発射できるので、逃走を図る犯人等に対する、命中精度に優れている。
【００８７】
また、この防犯用非殺傷性弾１は、火薬５を用いているので、拳銃等の発射装置（図示せず。）から発射する際に、実弾を発射する際の発射音と同じ発射音を発生するので、防犯用非殺傷性弾１が命中した犯人等は、実弾が命中したような感覚になり、抵抗する気力を失わされる。
【００８８】
また、この防犯用非殺傷性弾１は、拳銃等の発射装置（図示せず。）から発射されるものが、殺傷性の無い材料６であるので、命中しても、犯人等を傷つけない。
【００８９】
また、この防犯用非殺傷性弾１は、殺傷性の無い材料６が、塗料、刺激剤及び催涙剤の群からなる少なくとも一種を含むので、例えば、殺傷性の無い材料６が、塗料の場合にあっては、逃走を図る犯人等に防犯用非殺傷性弾１が命中した場合、犯人等には、塗料が付着するので、その後の犯人等の捜査が容易に行える。
【００９０】
また、例えば、殺傷性の無い材料６が、刺激剤の場合にあっては、逃走を図る犯人等に防犯用非殺傷性弾１が命中した場合、犯人等は、刺激剤により、くしゃみや、涙が出たりするので、犯人等の抵抗する気力が衰えるので、その後の犯人等の逮捕を容易に行える。
【００９１】
また、例えば、殺傷性の無い材料６が、催涙剤の場合にあっては、逃走を図る犯人等に防犯用非殺傷性弾が命中した場合、犯人等は、催涙剤により、涙が出る結果、犯人等の抵抗する気力が衰えるので、その後の犯人等の逮捕を容易に行える。
【００９２】
また、この防犯用非殺傷性弾１は、殺傷性の無い材料６が、液状、固形状又はゲル状であるので、例えば、殺傷性の無い材料６が、液状の場合にあっては、逃走を図る犯人等に防犯用非殺傷性弾１が命中した場合、犯人等に傷を与えることなく、且つ、衣服等に塗料が付着するので、その後の犯人等の捜査が容易に行える。
【００９３】
また、例えば、殺傷性の無い材料６が、固形状の場合にあっては、火薬５が湿ることがなく、拳銃等の発射装置（図示せず。）から発射された際に、火薬５の爆発力により、粉末状になる結果、逃走を図る犯人等に防犯用非殺傷性弾１が命中した場合、犯人等に傷を与えることなく、且つ、犯人の目や喉に刺激を与える結果、犯人等の抵抗する気力が衰えるので、その後の犯人等の逮捕を容易に行える。
【００９４】
また、例えば、殺傷性の無い材料６が、ゲル状の場合にあっては、殺傷性の無い材料６が、液状である場合に比べ、火薬５が湿ることがなく、逃走を図る犯人等に防犯用非殺傷性弾１が命中した場合、犯人等に傷を与えることなく、且つ、衣服等には、塗料が付着するので、その後の犯人等の捜査が容易に行える。
【００９５】
また、この防犯用非殺傷性弾１では、薬莢（ケース体）２の先端を、膜体８で密閉しているので、保存中に、殺傷性の無い材料６が、薬莢（ケース体）２の外に漏れ出すことがない。また、この膜体８は、殺傷性の無い材料６が、拳銃等の発射装置（図示せず。）から発射された際に、火薬５の爆発力により、粉々になる結果、逃走を図る犯人等に防犯用非殺傷性弾１が命中した場合、犯人等に傷を与えることがない。
【００９６】
また、この防犯用非殺傷性弾１は、薬莢（ケース体）２の先端の近傍位置に、薬莢（ケース体）２の中心線方向に突出するように設けられた突起９・・・を有しているので、ワッド４が薬莢（ケース体）２内に停止する結果、この防犯用非殺傷性弾１は、拳銃等の発射装置（図示せず。）から発射され、逃走を図る犯人等に防犯用非殺傷性弾１が命中した際に、ワッド４又はこれが壊れたものが、犯人等には当たらないので、犯人等に傷を与えることがない。
（実施例２）
図２は、本発明に係る防犯用非殺傷性弾の他の一例を模式的に説明する断面図である。
【００９７】
尚、この防犯用非殺傷性弾１Ａは、図１に示す防犯用非殺傷性弾１とは、以下の構成を除けば、防犯用非殺傷性弾１と同様の構成を備えているので、防犯用非殺傷性弾１Ａの構成部材中、防犯用非殺傷性弾１の構成部材に相当する構成部材については、防犯用非殺傷性弾１の構成部材に付した参照符号と同じ参照符号を付して、その説明を省略する。
【００９８】
この防犯用非殺傷性弾１Ａは、ワッド４の前方部分（ワッド４を薬莢（ケース体）２内に収容した際に、薬莢（ケース体）２の先端部２ｅａとなる側）の円筒形状の筒体部４ａ内に、仕切り部材１０を設け、筒体部４ａを、第一の収容室Ｒ１と、第二の収容室Ｒ２とに、区分している。
【００９９】
仕切り部材１０としては、特に以下の場合に限定されることはないが、弾性体膜、紙、布（織布であっても、不織布であってもよい。）、合成樹脂シート等の膜体を挙げることができる。
【０１００】
仕切り部材１０は、平面視した場合、円形状又は概ね円形状を有しており、その直径が、薬莢（ケース体）２の内径よりもやや大きいものを用いる。
【０１０１】
仕切り部材１０として、平面視した場合、円形状又は概ね円形状を有しており、その直径が、薬莢（ケース体）２の内径よりもやや大きいものを用いた場合、仕切り部材１０を、ワッド４の前方部分（ワッド４を薬莢（ケース体）２内に収容した際に、薬莢（ケース体）２の先端部２ｅａとなる側）の円筒形状の筒体部４ａ内に収容した場合、仕切り部材１０の薬莢（ケース体）２の内径よりもやや大きい部分が、ワッド４の前方部分（ワッド４を薬莢（ケース体）２内に収容した際に、薬莢（ケース体）２の先端部２ｅａとなる側）の円筒形状の筒体部４ａの内周面に沿って折り曲げられる部分が形成され、これにより、仕切り部材１０の仕切り機能が向上する。
【０１０２】
仕切り部材１０の機械的強度は、防犯用非殺傷性弾１の保存時及び／又は運搬時に、振動その他の外乱によって、仕切り部材１０が壊れることがなく、ワッド４の前方部分（ワッド４を薬莢（ケース体）２内に収容した際に、薬莢（ケース体）２の先端部２ｅａとなる側）の円筒形状の筒体部４ａ内の、仕切り部材１０によって区分した、第一の収容室Ｒ１及び第二の収容室Ｒ２の各々に収容した材料が、分離した状態で保存することができる機械的強度を有し、且つ、拳銃等の発射装置（図示せず。）から防犯用非殺傷性弾１を発射した際に、火薬５が爆発し、ワッド４の前方部分（ワッド４を薬莢（ケース体）２内に収容した際に、薬莢（ケース体）２の先端部２ｅａとなる側）の円筒形状の筒体部４ａ内の仕切り部材１０によって仕切られた第２の収容室Ｒ２に収容した材料が薬莢（ケース体）から飛び出す際に、破壊される機械的強度を有していればよい。
【０１０３】
この防犯用非殺傷性弾１Ａでは、第一の収容室Ｒ１内に、殺傷性の無い材料として、塗料６ａを収容し、第二の収容室Ｒ２内に、殺傷性の無い材料として、刺激剤６ｂを収容している。
【０１０４】
尚、本発明に係る防犯用非殺傷性弾には、防犯用非殺傷性弾１Ａに限られず、第一の収容室Ｒ１内に、殺傷性の無い材料として、刺激剤６ｂを収容し、第二の収容室Ｒ２内に、殺傷性の無い材料として、塗料６ａを収容した防犯用非殺傷性弾（図示せず。）、第一の収容室Ｒ１内に、殺傷性の無い材料として、塗料６ａを収容し、第二の収容室Ｒ２内に、殺傷性の無い材料として、催涙剤を収容した防犯用非殺傷性弾（図示せず。）、又は、第一の収容室Ｒ１内に、殺傷性の無い材料として、催涙剤を収容し、第二の収容室Ｒ２内に、殺傷性の無い材料として、塗料６ａを収容した防犯用非殺傷性弾（図示せず。）が含まれる。
【０１０５】
次に、この防犯用非殺傷性弾１Ａの製造方法を例示的に説明する。
【０１０６】
尚、下記に説明する、防犯用非殺傷性弾１Ａの製造方法は、例示であって、本発明に係る防犯用非殺傷性弾の製造方法は、下記に説明する、防犯用非殺傷性弾１Ａの製造方法に限定されることはない。
【０１０７】
まず、薬莢（ケース体）２の後端部２ｅｂにプライマー３を取り付けた薬莢（ケース体）２を準備する（ステップ１）。
【０１０８】
次に、薬莢（ケース体）２の先端部２ｅａの開口部から火薬５を薬莢（ケース体）２内に収容する（ステップ２）。
【０１０９】
また、ワッド４の前方部分（ワッド４を薬莢（ケース体）２内に収容した際に、薬莢（ケース体）２の先端部２ｅａとなる側）の円筒形状の筒体部４ａ内に、所定量の刺激剤６ｂ又は所定量の催涙剤を収容する（ステップ３）。
【０１１０】
次に、所定量の刺激剤６ｂ又は所定量の催涙剤を収容した筒体部４ａ内に、所定量の刺激剤６ｂ又は所定量の催涙剤を覆うように仕切り部材１０を設ける（ステップ４）。
【０１１１】
次に、仕切り部材１０により区画された第一の収容室Ｒ１に、所定量の塗料６ａを収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する（ステップ５）。
【０１１２】
次に、第一の収容室Ｒ１に、所定量の塗料６ａを収容され、第二の収容室Ｒ２に、所定量の刺激剤６ｂ又は所定量の催涙剤を収容し、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉したワッド４を、薬莢（ケース体）２の先端部２ｅａの開口部から火薬５を薬莢（ケース体）２内に収容する（ステップ６）。
【０１１３】
次に、ポンチ（図示せず。）等を用い、薬莢（ケース体）２の先端の近傍位置に、薬莢（ケース体）２の中心線方向に突出するように、突起９・・・を形成する（ステップ７）。
【０１１４】
次に、薬莢（ケース体）２の先端を、蓋体８で密閉することで、防犯用非殺傷性弾１Ａを製造する（ステップ８）。
【０１１５】
尚、第二の収容室Ｒ２に、所定量の塗料６ａが収容され、第一の収容室Ｒ１に、所定量の刺激剤６ｂ又は所定量の催涙剤を収容した、本発明に係る防犯用非殺傷性弾を製造する際には、実施例２の記載中に示す、防犯用非殺傷性弾１Ａの製造方法中、ステップ３において、ワッド４の前方部分（ワッド４を薬莢（ケース体）２内に収容した際に、薬莢（ケース体）２の先端部２ｅａとなる側）の円筒形状の筒体部４ａ内に、所定量の塗料６ａを収容し、ステップ４において、所定量の塗料６ａを収容した筒体部４ａ内に、所定量の塗料を覆うように仕切り部材１０を設け、ステップ５において、仕切り部材１０により区画された第一の収容室Ｒ１に、所定量の刺激剤６ｂ又は所定量の催涙剤を収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する、という工程以外は、防犯用非殺傷性弾１Ａの製造方法と同様の工程により、第二の収容室Ｒ２に、所定量の塗料６ａを収容され、第一の収容室Ｒ１に、所定量の刺激剤６ｂ又は所定量の催涙剤を収容した、本発明に係る防犯用非殺傷性弾を製造する。
【０１１６】
尚、この防犯用非殺傷性弾１Ａの使用方法は、防犯用非殺傷性弾１の使用方法と同様であるので、ここでの説明は、省略する。
【０１１７】
この防犯用非殺傷性弾１Ａは、防犯用非殺傷性弾１と同様の効果を奏する。
【０１１８】
更に、この防犯用非殺傷性弾１Ａには、塗料と、刺激剤及び催涙剤の群からなる少なくとも一種とを仕切り部材を介して設けているので、この防犯用非殺傷性弾は、長期保存することができる、という効果もある。
【０１１９】
尚、実施例２では、仕切り部材１０として、平面視した場合円形状の仕切り部材を設け、薬莢（ケース体）２を、その中心線に対し、縦方向又は概ね縦方向に、第一の収容室Ｒ１及び第二の収容室Ｒ２を設けた例について説明したが、本発明に係る防犯用非殺傷性弾は、仕切り部材１０として、円筒形状のものであって、その長さが、薬莢（ケース体）２の長さに等しいか又は実質的に等しい長さを有し、且つ、その外径が、薬莢（ケース体）の内径よりも小さいものを用い、仕切り部材１０を、薬莢（ケース体）２に収容した際に、薬莢（ケース体）２をその中心線に直交又は概ね直交する方向に切断した断面図を見た場合、薬莢（ケース体）２の側周面及び仕切り部材１０が、同心円又は概ね同心円となるように配置し、円筒形状の仕切り部材１０の内周面により形成される第一の収容室Ｒ１内に塗料６ａを収容し、且つ、第二の収容室Ｒ２内に、刺激剤６ｂ又は催涙剤６ｃを収容するように構成してもよい。
（実施例３）
図３は、本発明に係る防犯用非殺傷性弾の他の一例を模式的に説明する断面図である。
【０１２０】
尚、この防犯用非殺傷性弾１Ｂは、図１に示す防犯用非殺傷性弾１とは、以下の構成を除けば、防犯用非殺傷性弾１と同様の構成を備えているので、防犯用非殺傷性弾１Ｂの構成部材中、防犯用非殺傷性弾１の構成部材に相当する構成部材については、防犯用非殺傷性弾１Ａの構成部材に付した参照符号と同じ参照符号を付して、その説明を省略する。
【０１２１】
この防犯用非殺傷性弾１Ｂは、ワッド４の前方部分（ワッド４を薬莢（ケース体）２内に収容した際に、薬莢（ケース体）２の先端部２ｅａとなる側）の円筒形状の筒体部４ａ内に、仕切り部材１０Ａ、１０Ｂ（第一の仕切り部材１０Ａ及び第二の仕切り部材１０Ｂ）を設け、筒体部４ａを、第一の収容室Ｒ１と、第二の収容室Ｒ２と、第三の収容室Ｒ３とに、区分している。
【０１２２】
仕切り部材１０Ａ、１０Ｂ（第一の仕切り部材１０Ａ及び第二の仕切り部材１０Ｂ）の各々としては、仕切り部材１０と同様のものを使用すればよいので、仕切り部材１０Ａ及び仕切り部材１０Ｂの各々の形状や、材質や、機械的強度に関する説明は、省略する。
【０１２３】
この防犯用非殺傷性弾を、防犯用非殺傷性弾１Ｂのように構成する場合には、第一の収容室Ｒ１内に、塗料６ａ、刺激剤６ｂ及び催涙剤６ｃの群から選択される成分材料の一種を収容し、第二の収容室Ｒ２内に、塗料６ａ、刺激剤６ｂ及び催涙剤６ｃの群から選択され且つ第一の収容室Ｒ１内に収容した成分材料を除く一種を収容し、且つ、第三の収容室Ｒ３内に、塗料６ａ、刺激剤６ｂ及び催涙剤６ｃの群から選択され且つ第一の収容室Ｒ１内に収容した成分材料及び第二の収容室Ｒ２内に収容した成分材料を除く一種を収容する。
【０１２４】
この防犯用非殺傷性弾１Ｂでは、第一の収容室Ｒ１内に、殺傷性の無い材料として、塗料６ａを収容し、第二の収容室Ｒ２内に、殺傷性の無い材料として、刺激剤６ｂを収容し、且つ、第三の収容室Ｒ３内に、殺傷性の無い材料として、刺激剤６ｃを収容している。
【０１２５】
尚、本発明に係る防犯用非殺傷性弾には、防犯用非殺傷性弾１Ｂに限られず、第一の収容室Ｒ１内に、殺傷性の無い材料として、刺激剤６ｂを収容し、第二の収容室Ｒ２内に、殺傷性の無い材料として、催涙剤６ｃを収容し、且つ、第三の収容室Ｒ３内に、塗料６ａを収容した防犯用非殺傷性弾（図示せず。）、第一の収容室Ｒ１内に、殺傷性の無い材料として、催涙剤６ｃを収容し、第二の収容室Ｒ２内に、殺傷性の無い材料として、塗料６ａを収容し、且つ、第三の収容室Ｒ３内に、殺傷性の無い材料として、刺激剤６ｂを収容した防犯用非殺傷性弾（図示せず。）、第一の収容室Ｒ１内に、殺傷性の無い材料として、塗料６ａ収容し、第二の収容室Ｒ２内に、殺傷性の無い材料として、催涙剤６ｃを収容し、且つ、第三の収容室Ｒ３内に、刺激剤６ｂを収容した防犯用非殺傷性弾（図示せず。）、第一の収容室Ｒ１内に、殺傷性の無い材料として、催涙剤６ｃを収容し、第二の収容室Ｒ２内に、殺傷性の無い材料として、刺激剤６ｂを収容し、且つ、第三の収容室Ｒ３内に、殺傷性の無い材料として、塗料６ａを収容した防犯用非殺傷性弾（図示せず。）、第一の収容室Ｒ１内に、殺傷性の無い材料として、刺激剤６ｂを収容し、第二の収容室Ｒ２内に、殺傷性の無い材料として、塗料６ａを収容し、且つ、第三の収容室Ｒ３内に、殺傷性の無い材料として、催涙剤６ｃを収容した防犯用非殺傷性弾（図示せず。）が含まれる。
【０１２６】
次に、この防犯用非殺傷性弾１Ｂの製造方法を例示的に説明する。
【０１２７】
尚、下記に説明する、防犯用非殺傷性弾１Ｂの製造方法は、例示であって、本発明に係る防犯用非殺傷性弾の製造方法は、下記に説明する、防犯用非殺傷性弾１Ｂの製造方法に限定されることはない。
【０１２８】
まず、薬莢（ケース体）２の後端部２ｅｂにプライマー３を取り付けた薬莢（ケース体）２を準備する（ステップ１）。
【０１２９】
次に、薬莢（ケース体）２の先端部２ｅａの開口部から火薬５を薬莢（ケース体）２内に収容する（ステップ２）。
【０１３０】
また、ワッド４の前方部分（ワッド４を薬莢（ケース体）２内に収容した際に、薬莢（ケース体）２の先端部２ｅａとなる側）の円筒形状の筒体部４ａ内に、所定量の催涙剤６ｃを収容する（ステップ３）。
【０１３１】
次に、所定量の催涙剤６ｃを収容した筒体部４ａ内に、所定量の催涙剤６ｃを覆うように仕切り部材１０Ｂを設ける（ステップ４）。
【０１３２】
次に、仕切り部材１０Ｂにより区画された第二の収容室Ｒ２に、所定量の刺激剤６ｂを収容する（ステップ５）。
【０１３３】
次に、所定量の催涙剤６ｃ及び所定量の刺激剤６ｂを仕切り部材１０Ｂにより区分して収容した筒体部４ａ内に、所定量の刺激剤６ｂを覆うように仕切り部材１０Ａを設ける（ステップ６）。
【０１３４】
次に、仕切り部材１０Ａにより区画された第一の収容室Ｒ１に、所定量の塗料６ａを収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する（ステップ７）。
【０１３５】
次に、第一の収容室Ｒ１に、所定量の塗料６ａを収容され、第二の収容室Ｒ２に、所定量の刺激剤６ｂが収容され、且つ、第三の収容室Ｒ３に所定量の催涙剤を収容し、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉したワッド４を、薬莢（ケース体）２の先端部２ｅａの開口部から火薬５を薬莢（ケース体）２内に収容する（ステップ８）。
【０１３６】
次に、ポンチ（図示せず。）等を用い、薬莢（ケース体）２の先端の近傍位置に、薬莢（ケース体）２の中心線方向に突出するように、突起９・・・を形成する（ステップ９）。
【０１３７】
次に、薬莢（ケース体）２の先端を、蓋体８で密閉することで、防犯用非殺傷性弾１Ａを製造する（ステップ１０）。
【０１３８】
尚、第一の収容室Ｒ１に、所定量の刺激剤６ｂが収容され、第二の収容室Ｒ２に、所定量の催涙剤６ｃが収容され、且つ、第三の収容室Ｒ３に、所定量の塗料６ａが収容された、本発明に係る防犯用非殺傷性弾を製造する際には、実施例３の記載欄中に示す、防犯用非殺傷性弾１Ｂの製造方法中、ステップ３、ステップ４、ステップ５、ステップ６、ステップ７及びステップ８に示す工程において、ワッド４の前方部分（ワッド４を薬莢（ケース体）２内に収容した際に、薬莢（ケース体）２の先端部２ｅａとなる側）の円筒形状の筒体部４ａ内に、筒体部４ａの後端部側から、順に、塗料６ａ、第二の仕切り部材１０Ｂ、催涙剤６ｃ、第一の仕切り部材１０Ａ、刺激剤６ｂを収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する以外の工程は、防犯用非殺傷性弾１Ｂの製造方法と同様の製造方法により製造する。
【０１３９】
また、第一の収容室Ｒ１に、所定量の催涙剤６ｃが収容され、第二の収容室Ｒ２に、所定量の塗料６ａが収容され、且つ、第三の収容室Ｒ３に、所定量の刺激剤６ｂが収容された、本発明に係る防犯用非殺傷性弾を製造する際には、実施例３の記載欄中に示す、防犯用非殺傷性弾１Ｂの製造方法中、ステップ３、ステップ４、ステップ５、ステップ６、ステップ７及びステップ８に示す工程において、ワッド４の前方部分（ワッド４を薬莢（ケース体）２内に収容した際に、薬莢（ケース体）２の先端部２ｅａとなる側）の円筒形状の筒体部４ａ内に、筒体部４ａの後端部側から、順に、刺激剤６ｂ、第二の仕切り部材１０Ｂ、塗料６ａ、第一の仕切り部材１０Ａ、催涙剤６ｃを収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する以外の工程は、防犯用非殺傷性弾１Ｂの製造方法と同様の製造方法により製造する。
【０１４０】
また、第一の収容室Ｒ１に、所定量の塗料６ａが収容され、第二の収容室Ｒ２に、所定量の催涙剤６ｃが収容され、且つ、第三の収容室Ｒ３に、所定量の刺激剤６ｂが収容された、本発明に係る防犯用非殺傷性弾を製造する際には、実施例３の記載欄中に示す、防犯用非殺傷性弾１Ｂの製造方法中、ステップ３、ステップ４、ステップ５、ステップ６、ステップ７及びステップ８に示す工程において、ワッド４の前方部分（ワッド４を薬莢（ケース体）２内に収容した際に、薬莢（ケース体）２の先端部２ｅａとなる側）の円筒形状の筒体部４ａ内に、筒体部４ａの後端部側から、順に、刺激剤６ｂ、第二の仕切り部材１０Ｂ、催涙剤６ｃ、第一の仕切り部材１０Ａ、塗料６ａを収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する以外の工程は、防犯用非殺傷性弾１Ｂの製造方法と同様の製造方法により製造する。
【０１４１】
また、第一の収容室Ｒ１に、所定量の催涙剤６ｃが収容され、第二の収容室Ｒ２に、所定量の刺激剤６ｂが収容され、且つ、第三の収容室Ｒ３に、所定量の塗料６ａが収容された、本発明に係る防犯用非殺傷性弾を製造する際には、実施例３の記載欄中に示す、防犯用非殺傷性弾１Ｂの製造方法中、ステップ３、ステップ４、ステップ５、ステップ６、ステップ７及びステップ８に示す工程において、ワッド４の前方部分（ワッド４を薬莢（ケース体）２内に収容した際に、薬莢（ケース体）２の先端部２ｅａとなる側）の円筒形状の筒体部４ａ内に、筒体部４ａの後端部側から、順に、塗料６ａ、第二の仕切り部材１０Ｂ、刺激剤６ｂ、第一の仕切り部材１０Ａ、催涙剤６ｃを収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する以外の工程は、防犯用非殺傷性弾１Ｂの製造方法と同様の製造方法により製造する。
【０１４２】
また、第一の収容室Ｒ１に、所定量の刺激剤６ｂが収容され、第二の収容室Ｒ２に、所定量の塗料６ａが収容され、且つ、第三の収容室Ｒ３に、所定量の催涙剤６ｃが収容された、本発明に係る防犯用非殺傷性弾を製造する際には、実施例３の記載欄中に示す、防犯用非殺傷性弾１Ｂの製造方法中、ステップ３、ステップ４、ステップ５、ステップ６、ステップ７及びステップ８に示す工程において、ワッド４の前方部分（ワッド４を薬莢（ケース体）２内に収容した際に、薬莢（ケース体）２の先端部２ｅａとなる側）の円筒形状の筒体部４ａ内に、筒体部４ａの後端部側から、順に、催涙剤６ｃ、第二の仕切り部材１０Ｂ、塗料６ａ、第一の仕切り部材１０Ａ、刺激剤６ｂを収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉する以外の工程は、防犯用非殺傷性弾１Ｂの製造方法と同様の製造方法により製造する。
【０１４３】
尚、この防犯用非殺傷性弾１Ｂの使用方法は、防犯用非殺傷性弾１の使用方法と同様であるので、ここでの説明は、省略する。
【０１４４】
この防犯用非殺傷性弾１Ｂは、防犯用非殺傷性弾１と同様の効果を奏する。
【０１４５】
更に、この防犯用非殺傷性弾１Ｂは、塗料６ａ、刺激剤６ｂ及び催涙剤６ｃの各々が、仕切り部材１０Ａ、１０Ｂを介して設けられているので、この防犯用非殺傷性弾は、長期保存することができる。
【０１４６】
尚、実施例３では、仕切り部材１０Ａ及び仕切り部材１０Ｂの各々として、平面視した場合円形状の仕切り部材を設け、薬莢（ケース体）２を、その中心線に対し、縦方向又は概ね縦方向に、第一の収容室Ｒ１、第二の収容室Ｒ２及び第三の収容室Ｒ３を設けた例について説明したが、本発明に係る防犯用非殺傷性弾は、仕切り部材１０Ａとして、円筒形状のものであって、その長さが、薬莢（ケース体）２の長さに等しいか又は実質的に等しい長さを有し、且つ、その外径が、薬莢（ケース体）の内径よりも小さいものを用い、また、仕切り部材１０Ｂとして、円筒形状のものであって、その長さが、薬莢（ケース体）２の長さに等しいか又は実質的に等しい長さを有し、その外径が、薬莢（ケース体）の内径よりも小さく、且つ、その内径が、仕切り部材１０Ａの外形よりも大きいものを使用し、薬莢（ケース体）２内に、仕切り部材１０Ａ及び仕切り部材１０Ｂの各々を、薬莢（ケース体）２をその中心線に直交又は概ね直交する方向に切断した断面図を見た場合、同心円又は概ね同心円となるように配置し、円筒形状の仕切り部材１０Ａの内周面により形成される第一の収容室内に、塗料６ａ、刺激剤６ｂ及び催涙剤６ｃの群から選択される成分材料の一種を収容し、円筒形状の仕切り部材１０Ａの外周面と円筒形状の仕切り部材１０Ｂの内周面とにより形成される第二の収容室Ｒ２内に、塗料６ａ、刺激剤６ｂ及び催涙剤６ｃの群から選択され且つ第一の収容室Ｒ１内に収容した成分材料を除く一種を収容し、且つ、円筒形状の仕切り部材１０Ｂの外周面と薬莢（ケース体）２の内周面とにより形成される第三の収容室Ｒ３内に、塗料６ａ、刺激剤６ｂ及び催涙剤６ｃの群から選択され且つ第一の収容室Ｒ１内に収容した成分材料及び第二の収容室Ｒ２内に収容した成分材料を除く一種を収容するように構成してもよい。
（実施例４）
図４は、本発明に係る防犯用非殺傷性弾の他の一例を模式的に説明する断面図である。
【０１４７】
尚、この防犯用非殺傷性弾１Ｃは、図１に示す防犯用非殺傷性弾１とは、以下の構成を除けば、防犯用非殺傷性弾１と同様の構成を備えているので、防犯用非殺傷性弾１Ｃの構成部材中、防犯用非殺傷性弾１の構成部材に相当する構成部材については、防犯用非殺傷性弾１Ａの構成部材に付した参照符号と同じ参照符号を付して、その説明を省略する。
【０１４８】
この防犯用非殺傷性弾１Ｃは、殺傷性の無い材料６が、塗料６ａと、刺激剤６ｂと、６ｃとを含んでいる。
【０１４９】
且つ、塗料６ａが、中空を有する材料１１に充填されている。
【０１５０】
且つ、刺激剤６ｂと催涙剤６ｃとの混合物が、薬莢（ケース体）２内の、薬莢（ケース体）２の先端部２ｅａと、ワッド４との間に設けられている。
【０１５１】
より特定的に説明すると、この防犯用非殺傷性弾１Ｃでは、刺激剤６ｂと催涙剤６ｃとの混合物が、ワッド４の前方部分（ワッド４を薬莢（ケース体）２内に収容した際に、薬莢（ケース体）２の先端部２ｅａとなる側）の円筒形状の筒体部４ａの中空部ｈ４内に充填されている。
【０１５２】
そして、塗料６ａを中空内に有する材料１１が、薬莢（ケース体）の先端部２ｅａにキャップ体として設けられている。
【０１５３】
尚、中空を有する材料１１は、特に以下の場合に限定される事は無いが、例えば、合成樹脂（ゴムのようなエラストマーのもの）で製されている。
【０１５４】
次に、この防犯用非殺傷性弾１Ｃの製造方法を例示的に説明する。
【０１５５】
尚、下記に説明する、防犯用非殺傷性弾１Ｃの製造方法は、例示であって、本発明に係る防犯用非殺傷性弾の製造方法は、下記に説明する、防犯用非殺傷性弾１Ｃの製造方法に限定されることはない。
【０１５６】
まず、薬莢（ケース体）２の後端部２ｅｂにプライマー３を取り付けた薬莢（ケース体）２を準備する（ステップ１）。
【０１５７】
次に、薬莢（ケース体）２の先端部２ｅａの開口部から火薬５を薬莢（ケース体）２内に収容する（ステップ２）。
【０１５８】
次に、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６として、刺激剤６ｂと催涙剤６ｃとの混合物を収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉した、ワッド４を、薬莢（ケース体）２の先端部２ｅａの開口部から火薬５を薬莢（ケース体）２内に収容する（ステップ３）。
【０１５９】
次に、ポンチ（図示せず。）等を用い、薬莢（ケース体）２の先端の近傍位置に、薬莢（ケース体）２の中心線方向に突出するように、突起９・・・を形成する（ステップ４）。
【０１６０】
また、中空ｈ１１を有する材料１１を準備し、中空ｈ１１を有する材料１１の中空ｈ１１内に塗料６ａを封入したものを準備し、薬莢（ケース体）２の先端部２ｅａを、中空ｈ１１内に塗料６ａを封入した材料１１をキャップ体として用いて、密閉することで、防犯用非殺傷性弾１を製造する（ステップ５）。
【０１６１】
尚、実施例４では、防犯用非殺傷性弾１Ｃとして、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６として、刺激剤６ｂと催涙剤６ｃとの混合物を収容したものについて説明したが、本発明に係る防犯用非殺傷性弾には、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６として、刺激剤６ｂを収容した防犯用非殺傷性弾（図示せず。）や、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６として、催涙剤６ｃを収容した防犯用非殺傷性弾（図示せず。）も含まれる。
【０１６２】
図５は、本発明に係る防犯用非殺傷性弾の他の一例を模式的に説明する断面図である。
【０１６３】
この防犯用非殺傷性弾１Ｄは、以下の構成を除けば、防犯用非殺傷性弾１Ｃと同様の構成を備えるので、防犯用非殺傷性弾１Ｄの構成部材中、防犯用非殺傷性弾１Ｃの構成部材に相当する構成部材については、防犯用非殺傷性弾１Ｃの構成部材に付した参照符号と同じ参照符号を付して、その説明を省略する。
【０１６４】
この防犯用非殺傷性弾１Ｄは、ワッド４の前方部分（ワッド４を薬莢（ケース体）２内に収容した際に、薬莢（ケース体）２の先端部２ｅａとなる側）の円筒形状の筒体部４ａ内に仕切り部材１０を設け、仕切り部材１０によって仕切られた第一の収容室Ｒ１に刺激剤６ｂを収容し、第二の収容室Ｒ２に催涙剤６ｃを収容している。
【０１６５】
また、本発明に係る防犯用非殺傷性弾には、防犯用非殺傷性弾１Ｄと同様の構成を備え、ワッド４の前方部分（ワッド４を薬莢（ケース体）２内に収容した際に、薬莢（ケース体）２の先端部２ｅａとなる側）の円筒形状の筒体部４ａ内に仕切り部材１０を設け、仕切り部材１０によって仕切られた第一の収容室Ｒ１に催涙剤６ｃを収容し、第二の収容室Ｒ２に刺激剤６ｂを収容した防犯用非殺傷性弾（図示せず。）も含まれる。
【０１６６】
尚、この防犯用非殺傷性弾１Ａの使用方法は、防犯用非殺傷性弾１の使用方法と同様であるので、ここでの説明は、省略する。
【０１６７】
この防犯用非殺傷性弾１Ｃは、防犯用非殺傷性弾１と同様の効果を奏する。
【０１６８】
また、この防犯用非殺傷性弾１Ｃと同様、薬莢（ケース体）２の先端部２ｅａを、中空ｈ１１内に塗料６ａを封入した材料１１をキャップ体として用いて密閉した、防犯用非殺傷性弾であって、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６として、刺激剤６ｂを収容した防犯用非殺傷性弾（図示せず。）や、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６として、催涙剤６ｃを収容した防犯用非殺傷性弾（図示せず。）は、防犯用非殺傷性弾１Ａと同様の効果を奏する。
【０１６９】
また、この防犯用非殺傷性弾１Ｃと同様、薬莢（ケース体）２の先端部２ｅａを、中空ｈ１１内に塗料６ａを封入した材料１１をキャップ体として用いて密閉した、防犯用非殺傷性弾であって、ワッド４の前方部分（ワッド４を薬莢（ケース体）２内に収容した際に、薬莢（ケース体）２の先端部２ｅａとなる側）の円筒形状の筒体部４ａ内に仕切り部材（図２に示す仕切り部材１０を参照。）を設け、仕切り部材１０（図２に示す仕切り部材１０を参照。）によって仕切られた第一の収容室（図２に示す第一の収容室Ｒ１を参照。）に刺激剤６ｂを収容し、第二の収容室（図２に示す第二の収容室Ｒ２を参照。）に催涙剤６ｃを収容した防犯用非殺傷性弾（図示せず。）や、ワッド４の前方部分（ワッド４を薬莢（ケース体）２内に収容した際に、薬莢（ケース体）２の先端部２ｅａとなる側）の円筒形状の筒体部４ａ内に仕切り部材（図２に示す仕切り部材１０を参照。）を設け、仕切り部材１０（図２に示す仕切り部材１０を参照。）によって仕切られた第一の収容室（図２に示す第一の収容室Ｒ１を参照。）に催涙剤６ｃを収容し、第二の収容室（図２に示す第二の収容室Ｒ２を参照。）に刺激剤６ｂを収容した防犯用非殺傷性弾（図示せず。）は、防犯用非殺傷性弾１Ｂと同様の効果を奏する。
【０１７０】
更に、この防犯用非殺傷性弾１Ｃのように、薬莢（ケース体）２の先端部２ｅａを、中空ｈ１１内に塗料６ａを封入した材料１１をキャップ体として用いて密閉した、防犯用非殺傷性弾塗料を中空内に有する材料を、薬莢の先端にキャップ体として設けたので、保存中に、殺傷性の無い材料が、薬莢の外に漏れ出すことがない。
【０１７１】
また、この塗料を中空内に有する材料は、殺傷性の無い材料が、拳銃等の発射装置から発射された際に、火薬の爆発力により、粉々になるか、又は、目標物（犯人等）に命中すると壊れる結果、逃走を図る犯人等に防犯用非殺傷性弾の命中した場合、犯人等に傷を与えることがない。
【０１７２】
また、この防犯用非殺傷性弾１Ｃのように、薬莢（ケース体）２の先端部２ｅａを、中空ｈ１１内に塗料６ａを封入した材料１１をキャップ体として用いて密閉しているので、蓋体８を設ける必要がない。
【０１７３】
尚、実施例４では、仕切り部材１０として、平面視した場合円形状の仕切り部材を設け、薬莢（ケース体）２を、その中心線に対し、縦方向又は概ね縦方向に、第一の収容室Ｒ１及び第二の収容室Ｒ２を設けた例について説明したが、本発明に係る防犯用非殺傷性弾は、仕切り部材１０として、円筒形状のものであって、その長さが、薬莢（ケース体）２の長さに等しいか又は実質的に等しい長さを有し、且つ、その外径が、薬莢（ケース体）の内径よりも小さいものを用い、仕切り部材１０を、薬莢（ケース体）２に収容した際に、薬莢（ケース体）２をその中心線に直交又は概ね直交する方向に切断した断面図を見た場合、薬莢（ケース体）２の側周面及び仕切り部材１０が、同心円又は概ね同心円となるように配置し、円筒形状の仕切り部材１０の内周面により形成される第一の収容室Ｒ１内に塗料６ａを収容し、且つ、第二の収容室Ｒ２内に、刺激剤６ｂ又は催涙剤６ｃを収容するように構成してもよい。
（実施例５）
図６は、本発明に係る防犯用非殺傷性弾の他の一例を模式的に説明する断面図である。
【０１７４】
尚、この防犯用非殺傷性弾１Ｅは、図１に示す防犯用非殺傷性弾１とは、以下の構成を除けば、防犯用非殺傷性弾１と同様の構成を備えているので、防犯用非殺傷性弾１Ｅの構成部材中、防犯用非殺傷性弾１の構成部材に相当する構成部材については、防犯用非殺傷性弾１の構成部材に付した参照符号と同じ参照符号を付して、その説明を省略する。
【０１７５】
この防犯用非殺傷性弾１Ｅは、薬莢（ケース体）２の先端部２ｅａの内径が、ワッド４の外径よりやや短くされている。
【０１７６】
次に、この防犯用非殺傷性弾１Ｅの製造方法を例示的に説明する。
【０１７７】
尚、下記に説明する、防犯用非殺傷性弾１Ｅの製造方法は、例示であって、本発明に係る防犯用非殺傷性弾の製造方法は、下記に説明する、防犯用非殺傷性弾１Ｅの製造方法に限定されることはない。
【０１７８】
まず、薬莢（ケース体）２の後端部２ｅｂにプライマー３を取り付けた薬莢（ケース体）２を準備する（ステップ１）。
【０１７９】
次に、薬莢（ケース体）２の先端部２ｅａの開口部から火薬５を薬莢（ケース体）２内に収容する（ステップ２）。
【０１８０】
次に、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６を収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉した、ワッド４を、薬莢（ケース体）２の先端部２ｅａの開口部から火薬５を薬莢（ケース体）２内に収容する（ステップ３）。
【０１８１】
次に、絞り加工装置や、鍛造装置を用い、薬莢（ケース体）２の先端の近傍位置に、絞り加工を施し、薬莢（ケース体）２の先端部２ｅａの内径を、ワッド４の外径よりやや短くする（ステップ４）。
【０１８２】
次に、薬莢（ケース体）２の先端を、蓋体８で密閉することで、防犯用非殺傷性弾１を製造する（ステップ５）。
【０１８３】
尚、実施例５では、ワッド４の前方部分（ワッド４を薬莢（ケース体）２内に収容した際に、薬莢（ケース体）２の先端部２ｅａとなる側）の円筒形状の筒体部４ａ内に収容する殺傷性の無い材料６として、塗料６ａ、刺激剤６ｂ及び催涙剤６ｃを含む混合物を用いた例を説明したが、本発明に係る防犯用非殺傷性弾には、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に、塗料６ａ、刺激剤６ｂ及び催涙剤６ｃの群から選択される一種を収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に、塗料６ａ、刺激剤６ｂ及び催涙剤６ｃの群から選択される材料の二種を収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に仕切り部材（図２に示す仕切り部材１０を参照。）を設け、仕切り部材１０によって仕切られた第一の収容室Ｒ１に塗料６ａを収容し、第二の収容室Ｒ２に刺激剤６ｂ又は催涙剤６ｃのいずれかを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、塗料６ａを収容し、第二の収容室Ｒ２に刺激剤６ｂを収容し、第三の収容室Ｒ３に催涙剤６ｃを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、刺激剤６ｂを収容し、第二の収容室Ｒ２に催涙剤６ｃを収容し、第三の収容室Ｒ３に塗料６ａを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、催涙剤６ｃを収容し、第二の収容室Ｒ２に塗料６ａを収容し、第三の収容室Ｒ３に刺激剤６ｂを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、塗料６ａを収容し、第二の収容室Ｒ２に催涙剤６ｃを収容し、第三の収容室Ｒ３に刺激剤６ｂを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、催涙剤６ｃを収容し、第二の収容室Ｒ２に刺激剤６ｂを収容し、第三の収容室Ｒ３に塗料６ａを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、刺激剤６ｂを収容し、第二の収容室Ｒ２に塗料６ａを収容し、第三の収容室Ｒ３に刺激剤６ｃを収容した防犯用非殺傷性弾（図示せず。）も、含まれる。
【０１８４】
尚、この防犯用非殺傷性弾１Ｅの使用方法は、防犯用非殺傷性弾１の使用方法と同様であるので、ここでの説明は、省略する。
【０１８５】
この防犯用非殺傷性弾１Ｅ、及び、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に、塗料６ａ、刺激剤６ｂ及び催涙剤６ｃの群から選択される一種を収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に、塗料６ａ、刺激剤６ｂ及び催涙剤６ｃの群から選択される材料の二種を収容した防犯用非殺傷性弾（図示せず。）は、防犯用非殺傷性弾１と同様の効果を奏する。
【０１８６】
また、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に仕切り部材（図２に示す仕切り部材１０を参照。）を設け、仕切り部材１０によって仕切られた第一の収容室Ｒ１に塗料６ａを収容し、第二の収容室Ｒ２に刺激剤６ｂ又は催涙剤６ｃのいずれかを収容した防犯用非殺傷性弾（図示せず。）は、防犯用非殺傷性弾１Ｄと同様の効果を奏する。
【０１８７】
また、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、塗料６ａを収容し、第二の収容室Ｒ２に刺激剤６ｂを収容し、第三の収容室Ｒ３に催涙剤６ｃを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、刺激剤６ｂを収容し、第二の収容室Ｒ２に催涙剤６ｃを収容し、第三の収容室Ｒ３に塗料６ａを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、催涙剤６ｃを収容し、第二の収容室Ｒ２に塗料６ａを収容し、第三の収容室Ｒ３に刺激剤６ｂを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、塗料６ａを収容し、第二の収容室Ｒ２に催涙剤６ｃを収容し、第三の収容室Ｒ３に刺激剤６ｂを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、催涙剤６ｃを収容し、第二の収容室Ｒ２に刺激剤６ｂを収容し、第三の収容室Ｒ３に塗料６ａを収容した防犯用非殺傷性弾（図示せず。）や、防犯用非殺傷性弾１Ｅと同様の構成を備え、ワッド４の前方部分（ワッド４を薬莢（ケース体）２内に収容した際に、薬莢（ケース体）２の先端部２ｅａとなる側）の円筒形状の筒体部４ａ内に２枚の仕切り部材（図３に示す仕切り部材１０Ａ、１０Ｂを参照。）を設け、仕切り部材１０Ａ及び仕切り部材１０Ｂによって仕切られた、第一の収容室Ｒ１に、刺激剤６ｂを収容し、第二の収容室Ｒ２に塗料６ａを収容し、第三の収容室Ｒ３に刺激剤６ｃを収容した防犯用非殺傷性弾（図示せず。）は、防犯用非殺傷性弾１Ｂと同様の効果を奏する。
【０１８８】
また、この防犯用非殺傷性弾１Ｅ及び実施例５に記載した本発明に係る防犯用非殺傷性弾は、いずれも、薬莢（ケース体）２の先端部２ｅａの内径が、ワッド４の外径よりやや短くされているので、拳銃等の発射装置（図示せず。）を用いて、この防犯用非殺傷性弾１Ｅを発射した際に、ワッド４が薬莢（ケース体）２内に停止する結果、この防犯用非殺傷性弾１Ｅは、拳銃等の発射装置（図示せず。）から発射され、逃走を図る犯人等に防犯用非殺傷性弾１Ｅが命中した際に、ワッド４又はこれが壊れたものは、犯人等には当たらないので、犯人等に傷を与えることがない。
（実施例６）
図７は、本発明に係る防犯用非殺傷性弾の他の一例を模式的に説明する断面図である。
【０１８９】
尚、この防犯用非殺傷性弾１Ｆは、図１に示す防犯用非殺傷性弾１とは、以下の構成を除けば、防犯用非殺傷性弾１と同様の構成を備えているので、防犯用非殺傷性弾１Ｆの構成部材中、防犯用非殺傷性弾１の構成部材に相当する構成部材については、防犯用非殺傷性弾１の構成部材に付した参照符号と同じ参照符号を付して、その説明を省略する。
【０１９０】
この防犯用非殺傷性弾１Ｆは、薬莢（ケース体）２の先端部２ｅａの内径が、ワッド４の外径よりやや短くされている。
【０１９１】
また、薬莢（ケース体）２の先端部２ｅａを、中空ｈ１１内に塗料６ａを封入した材料１１をキャップ体として用いて密閉している。
【０１９２】
次に、この防犯用非殺傷性弾１Ｆの製造方法を例示的に説明する。
【０１９３】
尚、下記に説明する、防犯用非殺傷性弾１Ｆの製造方法は、例示であって、本発明に係る防犯用非殺傷性弾の製造方法は、下記に説明する、防犯用非殺傷性弾１Ｆの製造方法に限定されることはない。
【０１９４】
まず、薬莢（ケース体）２の後端部２ｅｂにプライマー３を取り付けた薬莢（ケース体）２を準備する（ステップ１）。
【０１９５】
次に、薬莢（ケース体）２の先端部２ｅａの開口部から火薬５を薬莢（ケース体）２内に収容する（ステップ２）。
【０１９６】
次に、ワッド４の前方部分（ワッド４を薬莢（ケース体）２内に収容した際に、薬莢（ケース体）２の先端部２ｅａとなる側）の円筒形状の筒体部４ａ内に殺傷性の無い材料６として、刺激剤６ｂと催涙剤６ｃとの混合物を収容した後、ワッド４の前方部分（ワッド４を薬莢（ケース体）２内に収容した際に、薬莢（ケース体）２の先端部２ｅａとなる側）の円筒形状の筒体部４ａの開口部を蓋体７により密閉した、ワッド４を、薬莢（ケース体）２の先端部２ｅａの開口部から火薬５を薬莢（ケース体）２内に収容する（ステップ３）。
【０１９７】
次に、絞り加工装置や、鍛造装置を用い、薬莢（ケース体）２の先端の近傍位置に、絞り加工を施し、薬莢（ケース体）２の先端部２ｅａの内径を、ワッド４の外径よりやや短くする（ステップ４）。
【０１９８】
また、中空ｈ１１を有する材料１１を準備し、中空ｈ１１を有する材料１１の中空ｈ１１内に塗料６ａを封入したものを準備し、薬莢（ケース体）２の先端部２ｅａを、中空ｈ１１内に塗料６ａを封入した材料１１をキャップ体として用いて、密閉することで、防犯用非殺傷性弾１を製造する（ステップ５）。
【０１９９】
尚、実施例６では、ワッド４の前方部分（ワッド４を薬莢（ケース体）２内に収容した際に、薬莢（ケース体）２の先端部２ｅａとなる側）の円筒形状の筒体部４ａ内に収容する殺傷性の無い材料６として、刺激剤６ｂ及び催涙剤６ｃを含む混合物を用いた例を説明したが、本発明に係る防犯用非殺傷性弾には、防犯用非殺傷性弾１Ｆと同様の構成を備え、ワッド４の前方部分（ワッド４を薬莢（ケース体）２内に収容した際に、薬莢（ケース体）２の先端部２ｅａとなる側）の円筒形状の筒体部４ａ内に、刺激剤６ｂ又は催涙剤６ｃを収容した防犯用非殺傷性弾（図示せず。）や、防犯用非殺傷性弾１Ｆと同様の構成を備え、ワッド４の前方部分（ワッド４を薬莢（ケース体）２内に収容した際に、薬莢（ケース体）２の先端部２ｅａとなる側）の円筒形状の筒体部４ａ内に、仕切り部材（図２に示す仕切り部材１０を参照。）を設け、仕切り部材１０によって仕切られた第一の収容室Ｒ１に刺激剤６ｂを収容し、第二の収容室Ｒ２に催涙剤６ｃを収容した防犯用非殺傷性弾（図示せず。）や、防犯用非殺傷性弾１Ｆと同様の構成を備え、ワッド４の前方部分（ワッド４を薬莢（ケース体）２内に収容した際に、薬莢（ケース体）２の先端部２ｅａとなる側）の円筒形状の筒体部４ａ内に、仕切り部材（図２に示す仕切り部材１０を参照。）を設け、仕切り部材１０によって仕切られた第一の収容室Ｒ１に催涙剤６ｃを収容し、第二の収容室Ｒ２に刺激剤６ｂを収容した防犯用非殺傷性弾（図示せず。）も、含まれる。
【０２００】
尚、この防犯用非殺傷性弾１Ｆの使用方法は、防犯用非殺傷性弾１の使用方法と同様であるので、ここでの説明は、省略する。
【０２０１】
この防犯用非殺傷性弾１Ｆは、防犯用非殺傷性弾１Ｃと同様の効果を奏する。
【０２０２】
また、この防犯用非殺傷性弾１Ｆと同様の構成を備え、ワッド４の前方部分（ワッド４を薬莢（ケース体）２内に収容した際に、薬莢（ケース体）２の先端部２ｅａとなる側）の円筒形状の筒体部４ａ内に、刺激剤６ｂ又は催涙剤６ｃを収容した防犯用非殺傷性弾（図示せず。）は、防犯用非殺傷性弾１Ｃと同様の構成を備え、ワッド４の前方部分（ワッド４を薬莢（ケース体）２内に収容した際に、薬莢（ケース体）２の先端部２ｅａとなる側）の円筒形状の筒体部４ａ内に、刺激剤６ｂ又は催涙剤６ｃを収容した防犯用非殺傷性弾（図示せず。）と同様の効果を奏する。
【０２０３】
また、この防犯用非殺傷性弾１Ｆと同様の構成を備え、ワッド４の前方部分（ワッド４を薬莢（ケース体）２内に収容した際に、薬莢（ケース体）２の先端部２ｅａとなる側）の円筒形状の筒体部４ａ内に、仕切り部材（図２に示す仕切り部材１０を参照。）を設け、仕切り部材１０によって仕切られた第一の収容室Ｒ１に刺激剤６ｂを収容し、第二の収容室Ｒ２に催涙剤６ｃを収容した防犯用非殺傷性弾（図示せず。）や、防犯用非殺傷性弾１Ｆと同様の構成を備え、ワッド４の前方部分（ワッド４を薬莢（ケース体）２内に収容した際に、薬莢（ケース体）２の先端部２ｅａとなる側）の円筒形状の筒体部４ａ内に、仕切り部材（図２に示す仕切り部材１０を参照。）を設け、仕切り部材１０によって仕切られた第一の収容室Ｒ１に催涙剤６ｃを収容し、第二の収容室Ｒ２に刺激剤６ｂを収容した防犯用非殺傷性弾（図示せず。）は、この防犯用非殺傷性弾１Ｄと同様の構成を備え、ワッド４の前方部分（ワッド４を薬莢（ケース体）２内に収容した際に、薬莢（ケース体）２の先端部２ｅａとなる側）の円筒形状の筒体部４ａ内に、仕切り部材（図２に示す仕切り部材１０を参照。）を設け、仕切り部材１０によって仕切られた第一の収容室Ｒ１に刺激剤６ｂを収容し、第二の収容室Ｒ２に催涙剤６ｃを収容した防犯用非殺傷性弾（図示せず。）や、防犯用非殺傷性弾１Ｄと同様の構成を備え、ワッド４の前方部分（ワッド４を薬莢（ケース体）２内に収容した際に、薬莢（ケース体）２の先端部２ｅａとなる側）の円筒形状の筒体部４ａ内に、仕切り部材（図２に示す仕切り部材１０を参照。）を設け、仕切り部材１０によって仕切られた第一の収容室Ｒ１に催涙剤６ｃを収容し、第二の収容室Ｒ２に刺激剤６ｂを収容した防犯用非殺傷性弾（図示せず。）と同様の効果を奏する。
【０２０４】
また、この防犯用非殺傷性弾１Ｆ及び実施例６に記載した本発明に係る防犯用非殺傷性弾は、いずれも、薬莢（ケース体）２の先端部２ｅａの内径が、ワッド４の外径よりやや短くされているので、拳銃等の発射装置（図示せず。）を用いて、この防犯用非殺傷性弾１Ｆを発射した際に、ワッド４が薬莢（ケース体）２内に停止する結果、この防犯用非殺傷性弾１Ｆは、拳銃等の発射装置（図示せず。）から発射され、逃走を図る犯人等に防犯用非殺傷性弾１Ｆが命中した際に、ワッド４又はこれが壊れたものは、犯人等には当たらないので、犯人等に傷を与えることがない。
【０２０５】
また、上記した本発明に係る防犯用非殺傷性弾は、犯人等に対して、逮捕等のために、拳銃等の発射装置（図示せず。）から発射しても、犯人等に傷を与えることがないので、警察官等にとって、凶悪犯等の逮捕等のために、凶悪犯等に対して、拳銃等の発射装置（図示せず。）から防犯用非殺傷性弾を発射する際に、犯人等を殺傷してしまうのではないか、といったような心因的ストレスが生じない、といったようなメリットがある。
【産業上の利用可能性】
【０２０６】
本発明に係る防犯用非殺傷性弾は、犯人等を殺傷することなく、犯人等の抵抗する気力を失わせることができるので、産業上の利用可能性が高い。
【図面の簡単な説明】
【０２０７】
【図１】本発明に係る防犯用非殺傷性弾の一例を模式的に説明する断面図である。
【図２】本発明に係る防犯用非殺傷性弾の他の一例を模式的に説明する断面図である。
【図３】本発明に係る防犯用非殺傷性弾の他の一例を模式的に説明する断面図である。
【図４】本発明に係る防犯用非殺傷性弾の他の一例を模式的に説明する断面図である。
【図５】本発明に係る防犯用非殺傷性弾の他の一例を模式的に説明する断面図である。
【図６】本発明に係る防犯用非殺傷性弾の他の一例を模式的に説明する断面図である。
【図７】本発明に係る防犯用非殺傷性弾の他の一例を模式的に説明する断面図である。
【符号の説明】
【０２０８】
１、１Ａ、１Ｂ、１Ｃ、１Ｄ、１Ｅ、１Ｆ      防犯用非殺傷性弾
２  薬莢（ケース体）
３  プライマー
３ａ  プライマーの金属部分
３ｂ、５  火薬
４  ワッド
４ａ  筒体部
Ｒ１  第一の収容室
Ｒ２  第二の収容室
Ｒ３  第三の収容室
６  殺傷性の無い材料
６ａ  塗料
６ｂ  刺激剤
６ｃ  催涙剤
７、８  蓋体
９  突起
１０、１０Ａ、１０Ｂ  仕切り部材
１１  塗料を中空内に有する材料（キャップ体）
【図１】
2009002620.tif 000003
【図２】
2009002620.tif 000004
【図３】
2009002620.tif 000005
【図４】
2009002620.tif 000006
【図５】
2009002620.tif 000007
【図６】
2009002620.tif 000008
【図７】
2009002620.tif 000009